(57)【要約】本発明は、給紙カセットデッキ３を装置本体２に連結することが可能な複合機１に関する。給紙カセットデッキ３は、開口部１７と取手とを備える。開口部１７は、装置本体２との連結面３ａに設けられる。取手は、当該開口部１７の縁を構成する後部補強フレーム２１及び前部補強フレーム２２の少なくとも一部が内側に張り出して構成される。
2013129429.tif 000002
【特許請求の範囲】
【請求項１】
画像形成装置の装置本体に連結することが可能なシート給送装置であって、
前記装置本体との連結面に設けられた開口部と、
当該開口部の縁を構成するフレームの少なくとも一部が内側に張り出して構成された取手と
を備えることを特徴とするシート給送装置。
【請求項２】
前記取手には、目印が刻印されていることを特徴とする請求項１に記載のシート給送装置。
【請求項３】
前記取手は、前記フレームが屈曲されて構成された屈曲部を有することを特徴とする請求項１に記載のシート給送置装置。
【請求項４】
前記屈曲部に跨って目印が形成されることを特徴とする請求項３記載のシート給送装置。
【請求項５】
前記目印は、絞り加工によって形成されることを特徴とする請求項４に記載のシート給送装置。
【請求項６】
前記目印は、人の手を模した形状を有することを特徴とする請求項５に記載のシート給送装置。
【請求項７】
前記シート給送装置は、用紙を装置本体に搬送する給紙ユニットを備え、
前記目印は、前記給紙ユニット寄りの位置に形成されていることを特徴とする請求項６に記載のシート給送装置。
【請求項８】
前記取手は、前記開口部を挟んで両側に設けられることを特徴とする請求項７に記載のシート給送装置。
【請求項９】
シート給送装置を装置本体の底面に連結することが可能な画像形成装置であって、
前記シート給送装置は、
前記装置本体との底面に対向する開口部と、
当該開口部の縁を構成するフレームの少なくとも一部が内側に張り出して構成された取手と
を備えることを特徴とする画像形成装置。
【請求項１０】
前記フレームは前記装置本体の一部を支持するとともに、前記装置本体と水平方向に位置決めするための位置決め部材が設けられていることを特徴とする、請求項９に記載の画像形成装置。
【発明の詳細な説明】
【技術分野】
【０００１】
本発明は、例えば、コピー機、プリンター、複合機等の画像形成装置において、シートを給送するシート給送装置および画像形成装置に関する。
【背景技術】
【０００２】
従来から、コピー機、プリンター、複合機等には、多数枚の転写紙を収納する給紙カセットを搭載したものが周知である。【０００３】
上記した給紙カセットは、収容可能な用紙の種類や積載量が限られている。このため、給紙カセットを備えたシート給送装置を装置本体に連結することによって、給紙カセットを増設することが可能なものが周知である。【０００４】
このシート給送装置を設置等する際に梱包材から持ち上げて取り出す際には、底面やその他の持ち易い個所を持つか或いは取手を把持する必要があった。運搬時などに利用者が把持する取手としては、画像形成装置の側面に格納されると共に運搬する際に引き出し可能な取手が知られている（例えば、特許文献１参照）。
【先行技術文献】
【特許文献】
【０００５】
【特許文献１】特開２００９−２１４４２９号公報
【発明の概要】
【発明が解決しようとする課題】
【０００６】
ところが、上記の従来の画像形成装置では、装置本体の側面に格納と引出との両方を行うことが可能な取手が設けられているため、構造が複雑になると共に、装置本体が側面側に大型化するという問題がある。また、箱型の梱包から装置本体を取り出す場合、装置本体と梱包の内面との隙間の深くまで作業者が手を刺し込み難く、取手を把持することが困難であるという問題があった。このため、装置本体の上部に把持する部分を別途設けるか、或いは、梱包を大きくするか、または梱包を切断して取り除くことが行われていた。しかし、梱包や運搬のコストがアップするなどの問題が生じていた。特に、シート給送装置を設置や開梱する場合には、作業者がバリ等の危険な箇所に触れたり、強度の弱い箇所を把持したりする虞があった。【０００７】
そこで、本発明は、簡単な構造で、装置が側面側に大型化することを抑制しつつ、安全且つ容易に持ち上げることが可能なシート給送装置およびシート給送装置が装着可能な画像形成装置を提供することを目的とする。
【課題を解決するための手段】
【０００８】
上記課題を解決するために、本発明は、画像形成装置の装置本体に連結することが可能なシート給送装置であって、開口部と、取手とを設けることを特徴とする。開口部は、前記装置本体との連結面に設けられる。取手は、当該開口部の縁を構成するフレームの少なくとも一部が内側に張り出して構成される。【０００９】
また、本発明は、シート給送装置を装置本体の底面に連結することが可能な画像形成装置であって、前記シート給送装置は、開口部と、取手とを設けることを特徴とする。開口部は、前記装置本体と底面に対向して設けられる。
【発明の効果】
【００１０】
上述した本発明によれば、簡単な構造で、装置が側面側に大型化することを抑制しつつ、安全且つ容易に持ち上げることができる。
【図面の簡単な説明】
【００１１】
【図１】本発明の実施形態に係る画像形成装置を示す斜視図である。
【図２】本発明の実施形態に係るシート給送装置の斜視図である。
【図３Ａ】本発明の実施形態に係る後部補強フレームに形成された目印の斜視図である。
【図３Ｂ】前部補強フレームに形成された目印の斜視図である。
【図４Ａ】本発明の実施形態の変形例に係る後部補強フレームに形成された目印の斜視図である。
【図４Ｂ】前部補強フレームに形成された目印の斜視図である。
【発明を実施するための形態】
【００１２】
以下、本発明に係る画像形成装置について説明する。以下の説明では、上下、左右、前後の方向は、複合機１を操作する使用者から見た上下、左右、前後の方向を基準とする。
【００１３】
本発明の実施形態に係る画像形成装置としての複合機１は、図１に示すように、装置本体２と、給紙カセットデッキ３と、画像読取装置４と、を備えている。給紙カセットデッキ３は、オプションのシート給送装置として、装置本体２の下方に装着されている。画像読取装置４は、装置本体２の上方に配置されている。
【００１４】
装置本体２は、操作パネル部５と、給紙カセット６と、処理部７と、排紙トレイ部８とを備えている。操作パネル部５は、各種設定や複写機能或いはファクシミリ機能等を利用する際に操作される。給紙カセット６は、転写紙を収納可能である。処理部７は、公知の画像形成処理ユニット（図示せず）を収納する。排紙トレイ部８は、画像形成処理後の転写紙を収納する。
【００１５】
給紙カセットデッキ３は、装置本体２に設けられた給紙カセット６とは別に、オプションで給紙カセット６の下方に着脱可能に設置可能である。本実施の形態においては、給紙カセットデッキ３は、上下２段の給紙カセット９，１０を備えている。これにより、画像形成装置１は、上下３段の給紙カセット６，９，１０により、３種類のサイズ（例えば、Ａ４，Ａ３，Ｂ５）の転写紙を収納することができる。
【００１６】
給紙カセットデッキ３は、図２に示すように、箱状を有する。また、給紙カセットデッキ３は、四隅に支柱（図示せず）を有する。支柱の下端同士は、底板（図示せず）によって連結される。支柱の上端部同士は、前部フレーム１１と、後部フレーム１２と、左部フレーム１３と、右上部フレーム１４と、によって連結されている。また、給紙カセットデッキ３の左側面には、左カバー１５が取り付けられている。給紙カセットデッキ３の右側面には、右カバー１６が取り付けられている。
【００１７】
給紙カセットデッキ３の上面は、装置本体２が連結される連結面３ａとして機能する。連結面３ａの中央には、開口部１７が形成されている。開口部１７は、上部が開口し平面視が概略四角形状を有する。連結面３ａの開口部１７の後側には、下側コネクター１８が設けられている。下側コネクター１８は、上方へ突出し、装置本体２の上側コネクター（図示せず）と接続される。連結面３ａの開口部１７の右側には、給紙ユニット１９が配置されている。給紙ユニット１９の上端部は、連結面３ａから突出し、給紙カセット９，１０に収容された転写紙を装置本体２の方向（本実施の形態では上方）に搬送する。
【００１８】
さらに、給紙カセットデッキ３の内部の給紙ユニット１９側には、駆動モーター等が配置されている。したがって、給紙カセットデッキ３の給紙ユニット１９側は、給紙ユニット１９や駆動モーター等が配置されていない左右方向の反対側に比べて重量が大きい。給紙カセットデッキ３の底面四隅には、キャスター２０が固定されている。
【００１９】
また、給紙カセットデッキ３の連結面３ａには、開口部１７の開口縁のうちの後縁を構成する横長板状の後部補強フレーム２１と、前縁を構成する横長板状の前部補強フレーム２２と、がビス等で取り付けられている。
【００２０】
後部補強フレーム２１は、載置板２３と、垂直板２４と、突出板２５と、を備えている。載置板２３は、後部フレーム１２の上面に載置される。垂直板２４は、載置板２３の前端から下方に向かって略垂直に屈曲している。突出板２５は、垂直板２４の下端の左右方向中央よりも給紙ユニット１９寄りから前方に向かって略垂直に屈曲して、開口部１７の内側に張り出させるように突出する。即ち、突出板２５は、給紙カセットデッキ３の重心に応じて、給紙カセットデッキ３の左右方向の給紙ユニット１９寄りの位置に配置されている。また、突出板２５の下方には、空間が設けられている。
【００２１】
したがって、後部補強フレーム２１には、下方屈曲部２６と、前方屈曲部２７とが形成されている。下方屈曲部２６は、載置板２３と垂直板２４との間において垂直板２４を下方に向かって屈曲させる。前方屈曲部２７は、垂直板２４と突出板２５との間において突出板２５を前方に向かって屈曲させる。
【００２２】
そして、これらの垂直板２４と突出板２５とには、図３Ａに示すように、目印２８が刻印されている。目印２８は、前方屈曲部２７に跨って、人の手を模して指先を内側に向けた形状を有する。目印２８は、垂直板２４から前方に向かって板厚分隆起していると共に、突出板２５から上方に向かって板厚分隆起している。また、突出板２５には、リブ２９が設けられている。リブ２９は、突出板２５の外周縁となる部分を上方向きに１８０度折り返すように曲げられた形状を有し、当該外周縁に沿っている。リブ２９は、作業者が折り曲げる前の板金の外周縁に形成されるバリに触れる虞を抑制している。
【００２３】
このように形成された後部補強フレーム２１は、次のようにして加工される。先ず、打ち抜いた板金を絞り加工によって裏面（図３Ａ中に図示されていない面）側から表面側に向かって絞ることで目印２８を形成する。次に、曲げ加工によって突出板２５の外周にリブ２９を形成すると共に目印２８の隆起方向を内側にして前方屈曲部２７を折り曲げる。以上の加工により後部補強フレーム２１は、形成される。
【００２４】
一方、前部補強フレーム２２の左端部は、左部フレーム１３の前部上面に載置されている。前部補強フレーム２２の前部は、前部フレーム１１の上面に載置されている。前部補強フレーム２２の右端部は、右上部フレーム１４の前部上面に載置されている。これらの載置された部分がビス等で取り付けられている。また、前部補強フレーム２２の後端部側は、開口部１７の内側に張り出した張出板３０を備えており、張出板３０の下方には空間が設けられている。張出板３０の中央部には、前部補強フレーム２２の外周縁のやや内側から上方に向かって隆起した隆起部３１が設けられている。隆起部３１は、平面視が概略矩形状の平坦な天井板３２と、天井板３２の外周から下方に向かって徐々に拡径する傾斜板３３と、を備えている。
【００２５】
したがって、前部補強フレーム２２には、傾斜屈曲部３４と、内方屈曲部３５と、が形成されている。傾斜屈曲部３４は、張出板３０と傾斜板３３との間において傾斜板３３を隆起部３１の中央に向かって斜め上方に屈曲させる。内方屈曲部３５は、傾斜板３３と天井板３２との間において天井板３２を隆起部３１の中央に向かって内方に屈曲させる。
【００２６】
そして、これらの張出板３０と傾斜板３３と天井板３２との左右方向の中央よりも給紙ユニット１９寄りには、図３Ｂに示すように、目印３６が刻印されている。目印３６は、傾斜屈曲部３４及び内方屈曲部３５に跨っており、人の手を模して指先を内側に向けた形状を有する。即ち、目印３６は、給紙カセットデッキ３の重心に応じて、給紙カセットデッキ３の左右方向の給紙ユニット１９寄りの位置に配置されている。目印３６は、張出板３０及び天井板３２から上方に向かって板厚分突出していると共に、傾斜板３３から斜め上方に向かって板厚分突出している。
【００２７】
このように形成された前部補強フレーム２２は、次のようにして加工される。先ず、打ち抜いた板金を絞り加工によって裏面（図３Ｂ中に図示されていない面）側から表面側に向かって絞ることで目印３６を形成する。次に、曲げ加工によって目印３６の突出方向を内側にして傾斜屈曲部３４を折り曲げ、且つ、目印３６の突出方向を外側にして内方屈曲部３５を折り曲げる。以上の加工により、前部補強フレーム２２は、形成される。
【００２８】
上記の如く構成されたものにおいて、給紙カセットデッキ３を持ち上げる場合には、作業者が、給紙カセットデッキ３の上面となる連結面３ａ側を目視することで、後部補強フレーム２１に刻印された目印２８及び前部補強フレーム２２に刻印された目印３６を視認する。これにより、後部補強フレーム２１の目印２８が形成された部位と、後部補強フレーム２１の目印が形成された部位とが、把持する位置であることを認識する。次に、作業者が連結面３ａ側から開口部１７内に手を入れて、目印２８が形成された突出板２５の底部と、目印３６が形成された張出板３０、傾斜板３３及び天井板３２の底部と、を把持して、給紙カセットデッキ３を持ち上げることができる。
【００２９】
これにより、給紙カセットデッキ３を持ち上げる際に把持する取手として機能する後部補強フレーム２１及び前部補強フレーム２２を簡単な構造で設けることができる。また、後部補強フレーム２１及び前部補強フレーム２２が開口部１７の内側に向かって張り出しているため、シート給装装置としての給紙カセットデッキ３が側面側に大型化することを抑制することができると共に、箱型の梱包材に給紙カセットデッキ３を収容した場合、給紙カセットデッキ３を梱包材から取り出す際に後部補強フレーム２１及び前部補強フレーム２２を把持し易い。したがって、給紙カセットデッキ３を安全且つ容易に持ち上げることができる。
【００３０】
また、後部補強フレーム２１に目印２８を刻印すると共に前部補強フレーム２２に目印３６を刻印したため、作業者が給紙カセットデッキ３を持ち上げる際に取手を容易に認識でき、把持する位置を認識し易い。これにより、取手以外の場所を持つことや、作業者がバリ等の危険な箇所に触れたり、給紙カセットデッキ３の脆弱な部分を把持したりすることを抑制する。
【００３１】
また、後部補強フレーム２１には、下方屈曲部２６及び前方屈曲部２７を形成したためこれらの屈曲部２６，２７によって後部補強フレーム２１を把持する際の応力を分散させることができる。また、前部補強フレーム２２には、傾斜屈曲部３４及び内方屈曲部３５を形成したため、これらの屈曲部３４，３５によって前部補強フレーム２２を把持した際の応力を分散させることができる。これにより、後部補強フレーム２１及び前部補強フレーム２２の強度を向上させることができ、給紙カセットデッキ３を持ち上げる際に、後部補強フレーム２１及び前部補強フレーム２２が変形することを抑制することが可能となる。
【００３２】
また、目印２８，３６は、絞り加工によって形成したため、目印２８によって後部補強フレーム２１を把持した際の応力を分散させると共に、目印３６によって前部補強フレーム２２を把持した際の応力を分散させることができる。これにより、後部補強フレーム２１及び前部補強フレーム２２の強度を向上させることができ、給紙カセットデッキ３を持ち上げる際に後部補強フレーム２１及び前部補強フレーム２２が変形することを抑制することが可能となる。
【００３３】
また、目印２８は、下方屈曲部２６及び前方屈曲部２７に跨って形成したため、下方屈曲部２６の強度を向上させることができる。目印３６は、傾斜屈曲部３４及び内方屈曲部３５に跨って形成したため、傾斜屈曲部３４及び内方屈曲部３５の強度を向上させることができる。
【００３４】
また、後部補強フレーム２１及び前部補強フレーム２２は、開口部１７を挟んで両側に設けた。このため、後部補強フレーム２１及び前部補強フレーム２２の両方を把持することで、給紙カセットデッキ３を持ち上げる際の荷重を分散させることができ、給紙カセットデッキ３を持ち上げ易くすることができる。
【００３５】
また、目印２８，３６は、給紙カセットデッキ３の重心に応じて、当該給紙カセットデッキ３の左右方向の中央よりも給紙ユニット１９寄りの位置に形成したため、給紙カセットデッキ３を持ち上げた際に、給紙カセットデッキ３が傾斜することを抑制することができる。このため、箱型の梱包材に給紙カセットデッキ３を収容した場合、給紙カセットデッキ３を梱包材から取り出す際に給紙カセットデッキ３を持ち上げ易く、箱型の梱包から取り出し易い。
【００３６】
なお、上記した実施形態では、人の手を模した形状の目印２８，３６を刻印したが、他の異なる実施形態においては、図４に示すように、目印２８´，３６´は、矢印を模して当該矢印の先端を内側に向けて刻印したものとすることも可能である。即ち、人の手を模した形状に比べて、作業者が把持する部位であることを視認できる程度に目印２８´，３６´の形状を変更することができ、目印２８´，４０´の形状を変更する自由度が増す。この場合は、目印２８´及び突出板２５の前後方向の長さは、短く設定されている。これにより、開口部１７の面積が広がり、作業者が給紙カセットデッキ３を持ち上げる際に開口部１７内に手を入れ易くすることができる。
【００３７】
ここで、装置本体２と給紙カセットデッキ３の連結について説明する。給紙カセットデッキ３には、装置本体２の下部に連結する際に水平方向において位置決めするための位置決め部材３７が設けられている。位置決め部材３７は先端部にテーパー形状を備えたピン形状の部材であり、左部フレーム１３と右上部フレーム１４の後部の上面に突出するように設けられている。また、装置本体２の底面には、位置決め部材３７に対応して、被位置決め部としての図示しない位置決め孔が形成されている。装置本体２の左右の側面には凹部形状の本体取手３８が形成されている。本体取手３８を持って装置本体２を給紙カセットデッキ３に上方から載置する。このとき、位置決め部材３７に装置本体２の底面の位置決め孔を係合させることにより、装置本体２と給紙カセットデッキ３が水平方向に位置決めされる。また、装置本体２の底面の一部が、左部フレーム１３と右上部フレーム１４に支持されて上下方向に位置決めされる。そして、図示しない固定手段によって、装置本体２と給紙カセットデッキ３を連結する。装置本体２と給紙カセットデッキ３が連結された状態で、給紙カセットデッキ３の開口部１７は、装置本体２の底面によって覆われる。複写機１を移動する際には、本体取手３８などを持って操作することが可能である。
【００３８】
このように、本発明の画像形成装置においては、必要に応じて装置本体２に給紙カセットデッキ３を連結することが可能である。使用者は必要に応じた複写機１の構成を選択することが可能であるため、不要な設置スペースや費用を負担する必要がない。また、給紙カセットデッキ３を装置本体２に連結する際には、給紙カセットデッキ３を梱包箱から安全に簡単に取り出して、作業することが可能である。

【図１】
2013129429.tif 000003
【図２】
2013129429.tif 000004
【図３Ａ】
2013129429.tif 000005
【図３Ｂ】
2013129429.tif 000006
【図４Ａ】
2013129429.tif 000007
【図４Ｂ】
2013129429.tif 000008
【国際調査報告】
2013129429.tif 000009
2013129429.tif 000010
2013129429.tif 000011
2013129429.tif 000012
2013129429.tif 000013
2013129429.tif 000014